【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
インターレース映像の信号を補間によりプログレッシブ映像の信号に変換する映像処理装置であって、
前記インターレース映像における１フレーム期間離れた２フィールドの画像の差分により、各画素位置での映像の動きに係るフレーム間動きを検出する第１検出手段と、
前記インターレース映像における１フィールド期間離れた２フィールドの画像の差分により、各画素位置での映像の動きに係るフィールド間動きを検出する第２検出手段と、
生成の対象とする補間画素の周辺領域における映像の動きの有無を、前記周辺領域内の複数の画素位置でのフレーム間動きの検出値に基づいて判定する周辺動き判定手段と、
前記周辺領域における映像の動きの有無に応じて、補間画素の生成位置での映像の動き情報を決定する決定手段と、
前記補間画素の生成位置での映像の動き情報に応じて、前記補間画素の生成に用いる補間方法を切り換える切換手段と、
を有することを特徴とする映像処理装置。
【請求項２】
前記決定手段は、
前記周辺領域における映像の動きが無い場合に、前記補間画素の生成位置でのフレーム間動きの検出値を、前記補間画素の生成位置での映像の動き情報とし、
前記周辺領域における映像の動きがある場合に、前記補間画素の生成位置でのフレーム間動きの検出値とフィールド間動きの検出値のうち、より大きい値を前記補間画素の生成位置での映像の動き情報とする
ことを特徴とする請求項１に記載の映像処理装置。
【請求項３】
前記周辺動き判定手段は、
前記周辺領域内の複数の画素位置でのフレーム間動きの検出値に基づいて、動きの無い画素位置の数をカウントし、
前記動きの無い画素位置の数が所定の閾値以上である場合に、前記周辺領域における映像の動きが無いと判定し、
前記動きの無い画素位置の数が所定の閾値未満である場合に、前記周辺領域における映像の動きがあると判定する
ことを特徴とする請求項１または２に記載の映像処理装置。
【請求項４】
前記補間画素の生成位置が垂直方向に隣接する画素間の画素値に差がある垂直エッジ部分か否かを判定するエッジ判定手段と、
前記補間画素の生成位置が垂直エッジ部分である場合に、前記フィールド間動きの検出値を小さくする補正を行う補正手段と、
を更に備え、
前記決定手段は、前記補間画素の生成位置が垂直エッジ部分であり、且つ、前記周辺領域における映像の動きがある場合に、前記補間画素の生成位置でのフレーム間動きの検出値と前記補正されたフィールド間動きの検出値のうち、より大きい値を前記補間画素の生成位置での映像の動き情報とする
ことを特徴とする請求項１〜３のいずれか１項に記載の映像処理装置。
【請求項５】
インターレース映像の信号を補間によりプログレッシブ映像の信号に変換する映像処理装置の制御方法であって、
前記インターレース映像における１フレーム期間離れた２フィールドの画像の差分により、各画素位置での映像の動きに係るフレーム間動きを検出する第１検出ステップと、
前記インターレース映像における１フィールド期間離れた２フィールドの画像の差分により、各画素位置での映像の動きに係るフィールド間動きを検出する第２検出ステップと、
生成の対象とする補間画素の周辺領域における映像の動きの有無を、前記周辺領域内の複数の画素位置でのフレーム間動きの検出値に基づいて判定する周辺動き判定ステップと、
前記周辺領域における映像の動きの有無に応じて、補間画素の生成位置での映像の動き情報を決定する決定ステップと、
前記補間画素の生成位置での映像の動き情報に応じて、前記補間画素の生成に用いる補間方法を切り換える切換ステップと、
を有することを特徴とする映像処理装置の制御方法。
【請求項６】
前記決定ステップでは、
前記周辺領域における映像の動きが無い場合に、前記補間画素の生成位置でのフレーム間動きの検出値が、前記補間画素の生成位置での映像の動き情報とされ、
前記周辺領域における映像の動きがある場合に、前記補間画素の生成位置でのフレーム間動きの検出値とフィールド間動きの検出値のうち、より大きい値が前記補間画素の生成位置での映像の動き情報とされる
ことを特徴とする請求項５に記載の映像処理装置の制御方法。
【請求項７】
前記周辺動き判定ステップでは、
前記周辺領域内の複数の画素位置でのフレーム間動きの検出値に基づいて、動きの無い画素位置の数がカウントされ、
前記動きの無い画素位置の数が所定の閾値以上である場合に、前記周辺領域における映像の動きが無いと判定され、
前記動きの無い画素位置の数が所定の閾値未満である場合に、前記周辺領域における映像の動きがあると判定される
ことを特徴とする請求項５または６に記載の映像処理装置の制御方法。
【請求項８】
前記補間画素の生成位置が垂直方向に隣接する画素間の画素値に差がある垂直エッジ部分か否かを判定するエッジ判定ステップと、
前記補間画素の生成位置が垂直エッジ部分である場合に、前記フィールド間動きの検出値を小さくする補正を行う補正ステップと、
を更に有し、
前記決定ステップでは、前記補間画素の生成位置が垂直エッジ部分であり、且つ、前記周辺領域における映像の動きがある場合に、前記補間画素の生成位置でのフレーム間動きの検出値と前記補正されたフィールド間動きの検出値のうち、より大きい値が前記補間画素の生成位置での映像の動き情報とされる
ことを特徴とする請求項５〜７のいずれか１項に記載の映像処理装置の制御方法。
【手続補正２】
【補正対象書類名】明細書
【補正対象項目名】０００７
【補正方法】変更
【補正の内容】
【０００７】
本発明の映像処理装置は、インターレース映像の信号を補間によりプログレッシブ映像の信号に変換する映像処理装置であって、インターレース映像における１フレーム期間離れた２フィールドの画像の差分により、各画素位置での映像の動きに係るフレーム間動きを検出する第１検出手段と、インターレース映像における１フィールド期間離れた２フィールドの画像の差分により、各画素位置での映像の動きに係るフィールド間動きを検出する第２検出手段と、生成の対象とする補間画素の周辺領域における映像の動きの有無を、周辺領域内の複数の画素位置でのフレーム間動きの検出値に基づいて判定する周辺動き判定手段と、周辺領域における映像の動きの有無に応じて、補間画素の生成位置での映像の動き情報を決定する決定手段と、補間画素の生成位置での映像の動き情報に応じて、補間画素の生成に用いる補間方法を切り換える切換手段と、を有することを特徴とする。
【手続補正３】
【補正対象書類名】明細書
【補正対象項目名】０００８
【補正方法】変更
【補正の内容】
【０００８】
また、本発明の映像処理装置の制御方法は、インターレース映像の信号を補間によりプログレッシブ映像の信号に変換する映像処理装置の制御方法であって、インターレース映像における１フレーム期間離れた２フィールドの画像の差分により、各画素位置での映像の動きに係るフレーム間動きを検出する第１検出ステップと、インターレース映像における１フィールド期間離れた２フィールドの画像の差分により、各画素位置での映像の動きに係るフィールド間動きを検出する第２検出ステップと、生成の対象とする補間画素の周辺領域における映像の動きの有無を、周辺領域内の複数の画素位置でのフレーム間動きの検出値に基づいて判定する周辺動き判定ステップと、周辺領域における映像の動きの有無に応じて、補間画素の生成位置での映像の動き情報を決定する決定ステップと、補間画素の生成位置での映像の動き情報に応じて、補間画素の生成に用いる補間方法を切り換える切換ステップと、を有することを特徴とする。